(57)【要約】【課題】短期間で安価に、かつ、安全に取付けを行うことが可能で、ブラスト作業性も優れたブラスト装置の吊り下げ方法及び吊り下げ機構を提供する。【解決手段】構造物１１の表面１２にブラスト材１３を吹き付けて構造物１１の表面１２を研掃するブラスト装置１４を吊り下げるブラスト装置の吊り下げ方法であって、構造物１１のブラスト作業面１２ａの上部に配置された複数のアンカー部材１５に水平ワイヤ１６を配設する工程と、水平ワイヤ１６に構造物１１の周囲を移動可能な横移動台車１８を取付け、横移動台車１８にブラスト装置１４を吊り下げる垂直ワイヤ１９の上端部を固定する工程とを有し、吊り下げ機構１０は水平ワイヤ１６に、水平ワイヤ１６の一端２０が固着されていると共に、構造物１１に水平状態で巻き付けられた水平ワイヤ１６の中間部をロック可能に保持する把持部２１を有するワイヤ緊張手段１７を設けている。【選択図】        図１
2005002618.tif 000002
【特許請求の範囲】
【請求項１】
構築物の表面にブラスト材を吹き付けて前記構造物の表面を研掃するブラスト装置を吊り下げるブラスト装置の吊り下げ方法であって、
前記構築物のブラスト作業面の上部位置に高さを揃えて配置された複数のアンカー部材に水平ワイヤを配設する工程と、
前記水平ワイヤに前記構造物の周囲を移動可能な横移動台車を取付け、該横移動台車に前記ブラスト装置を吊り下げる垂直ワイヤの上端部を固定する工程とを有し、
しかも、前記水平ワイヤには、該水平ワイヤの一端が固着されていると共に、前記構造物に水平状態で巻き付けられた前記水平ワイヤの中間部をロック可能に保持する把持部を有するワイヤ緊張手段を設けていることを特徴とするブラスト装置の吊り下げ方法。
【請求項２】
請求項１記載のブラスト装置の吊り下げ方法において、前記ブラスト装置は、前記垂直ワイヤの中間部を把持状態で該ブラスト装置を昇降させる電動型昇降手段を有することを特徴とするブラスト装置の吊り下げ方法。
【請求項３】
構築物の表面にブラスト材を吹き付けて前記構造物の表面を研掃するブラスト装置を吊り下げるためのブラスト装置の吊り下げ機構であって、
前記構築物のブラスト作業面の上部位置にあって、実質的に同一高さ位置に取付けられた複数のアンカー部材と、
前記アンカー部材に保持され前記構造物を囲む水平ワイヤと、
前記水平ワイヤを前記構造物の周囲に緊張状態で取付けるワイヤ緊張手段と、
前記水平ワイヤに掛止し、前記構造物の周囲を移動可能な横移動台車と、
前記横移動台車にその上端が固定されて、前記ブラスト装置を吊り下げる垂直ワイヤとを有することを特徴とするブラスト装置の吊り下げ機構。
【請求項４】
請求項３記載のブラスト装置の吊り下げ機構において、前記ワイヤ緊張手段は、前記水平ワイヤの一端が固着されていると共に、前記構造物に水平状態で巻き付けられた前記水平ワイヤの中間部をロック可能に保持する把持部を有することを特徴とするブラスト装置の吊り下げ機構。
【発明の詳細な説明】
【０００１】
【発明の属する技術分野】
本発明は、構築物の表面にブラスト材を吹き付けて構造物の表面を研掃するブラスト装置を吊り下げるブラスト装置の吊り下げ方法及び吊り下げ機構に関する。
【０００２】
【従来の技術】
従来、例えば、既存の構造物の一例であるコンクリート柱の表面に新しいコンクリート層を設けて補強する場合に、コンクリート層の接合強度を高めるために、ブラスト手段を用いて、既存のコンクリート表面にブラスト材の一例である小さな鋼球を吹き付けて表面を削ると共に、表面を粗くするように表面を研掃している。このようなブラスト手段を備えたブラスト装置の一例として、作業車に上下動及び前後動可能に設けた移動支柱に硬球噴射体を取付け、この硬球噴射体に硬球噴射ノズル（吹き付け機構）をコンクリート表面に対して上下又は左右に移動可能に取付け、さらに、硬球噴射ノズルに硬球移送管が接続されて、硬球移送管を地上に設けた硬球分離装置に接続した形態のものが知られている。（例えば、特許文献１参照）。
【０００３】
【特許文献１】
特開平１０−００８７３９号公報（要約、図１〜図３）
【０００４】
【発明が解決しようとする課題】
しかし、特許文献１記載のブラスト装置においては、作業車を必要とすると共に、コンクリート柱が高くなると、作業車に設けた移動支柱を移動するための駆動構造が複雑で大型化するため、設備費用が高くなると共に、操作性が劣っていた。この点を改善する別の装置として、コンクリート柱の上端部に、複数のアンカー部材を打設し、アンカー部材を介してコンクリート柱を囲んで設けられたリング状のガイドレールに揚重機の一例であるホイストを取付け、このホイストにブラスト装置を吊り下げてブラスト装置を昇降させる形態のものが知られている。
このブラスト装置の吊り下げ方法においては、ブラスト装置の上昇又は下降による一回の垂直面の研掃幅は約３００ｍｍであるので、コンクリート柱の全周をブラストするためには、ホイストをコンクリート柱の周方向にガイドレールに沿って順次、移動させている。
しかしながら、このブラスト装置の吊り下げ方法においては、未だ解決すべき以下のような問題があった。
ブラストするコンクリート柱の直径はいろいろあるので、直径が異なる毎に所定の直径を有するガイドレールを製作する必要があり、これにより、施工期間が長くなると共に、工事費用が高くなった。また、重量のあるガイドレールをコンクリート柱の上端部に取付ける作業は高所作業のため、危険な作業であった。さらに、コンクリート柱が高くなると、ホイストの揚程が不足するため、上下方向に複数回に分けてブラストすることになり、ブラストの作業性が劣っていた。
【０００５】
本発明はこのような事情に鑑みてなされたもので、短期間で安価に、しかも、安全に取付け作業を行うことが可能で、ブラストの作業性も優れたブラスト装置の吊り下げ方法及び吊り下げ機構を提供することを目的とする。
【０００６】
【課題を解決するための手段】
前記目的に沿う第１の発明に係るブラスト装置の吊り下げ方法は、構築物の表面にブラスト材を吹き付けて前記構造物の表面を研掃するブラスト装置を吊り下げるブラスト装置の吊り下げ方法であって、
前記構築物のブラスト作業面の上部位置に高さを揃えて配置された複数のアンカー部材に水平ワイヤを配設する工程と、
前記水平ワイヤに前記構造物の周囲を移動可能な横移動台車を取付け、該横移動台車に前記ブラスト装置を吊り下げる垂直ワイヤの上端部を固定する工程とを有し、
しかも、前記水平ワイヤには、該水平ワイヤの一端が固着されていると共に、前記構造物に水平状態で巻き付けられた前記水平ワイヤの中間部をロック可能に保持する把持部を有するワイヤ緊張手段を設けている。
これによって、一端が固着されていると共に中間部をロック可能に保持する把持部を有するワイヤ緊張手段が設けられた水平ワイヤをアンカー部材上に、構造物に水平状態で巻き付けて配置し、次いで、水平ワイヤに構造物の周囲を移動可能な横移動台車を取付け、さらに、横移動台車に固定した垂直ワイヤにブラスト装置を吊り下げることができる。
【０００７】
第２の発明に係るブラスト装置の吊り下げ方法は、第１の発明に係るブラスト装置の吊り下げ方法において、前記ブラスト装置は、前記垂直ワイヤの中間部を把持状態で該ブラスト装置を昇降させる電動型昇降手段を有する。これによって、ブラスト装置自体が、垂直ワイヤに沿って昇降することができ、しかも、昇降ストロークが長くても、従来のように複数回に分けてブラストする必要が無く、１回でブラストすることができる。
【０００８】
前記目的に沿う第３の発明に係るブラスト装置の吊り下げ機構は、構築物の表面にブラスト材を吹き付けて前記構造物の表面を研掃するブラスト装置を吊り下げるためのブラスト装置の吊り下げ機構であって、
前記構築物のブラスト作業面の上部位置にあって、実質的に同一高さ位置に取付けられた複数のアンカー部材と、
前記アンカー部材に保持され前記構造物を囲む水平ワイヤと、
前記水平ワイヤを前記構造物の周囲に緊張状態で取付けるワイヤ緊張手段と、
前記水平ワイヤに掛止し、前記構造物の周囲を移動可能な横移動台車と、
前記横移動台車にその上端が固定されて、前記ブラスト装置を吊り下げる垂直ワイヤとを有する。
これによって、複数のアンカー部材上に、構造物を囲む水平ワイヤをワイヤ緊張手段により構造物の周囲に緊張状態で取付け、構造物の周囲を移動可能な横移動台車を水平ワイヤに掛止し、横移動台車に垂直ワイヤを介してブラスト装置を吊り下げることにより、構築物の周囲の長さが変わったとしても、水平ワイヤに掛止した横移動台車を構造物の周囲に移動することができる。
【０００９】
第４の発明に係るブラスト装置の吊り下げ機構は、第３の発明に係るブラスト装置の吊り下げ機構において、前記ワイヤ緊張手段は、前記水平ワイヤの一端が固着されていると共に、前記構造物に水平状態で巻き付けられた前記水平ワイヤの中間部をロック可能に保持する把持部を有する。これによって、構築物の周囲の長さが変わったとしても、一本の長い水平ワイヤで対応することができる。
【００１０】
【発明の実施の形態】
続いて、添付した図面を参照しつつ、本発明を具体化した実施の形態につき説明し、本発明の理解に供する。
ここに、図１は本発明の一実施の形態に係るブラスト装置の吊り下げ機構を模式的に示す正面図、図２は同ブラスト装置の吊り下げ機構を模式的に示す平面図、図３は同ブラスト装置の吊り下げ機構のワイヤ緊張手段の構成図、図４は図３の矢視Ａ−Ａ断面図、図５は本発明の一実施の形態に係るブラスト装置の吊り下げ機構の横移動台車の側面図、図６は同正面図、図７はブラスト装置の部分側断面図、図８は同正面図である。
【００１１】
図１〜図３及び図７に示すように、本発明の一実施の形態に係るブラスト装置の吊り下げ機構１０は、構築物の一例であるコンクリート柱１１の表面１２にブラスト材の一例である多数の鋼球（  以下、単に鋼球と呼ぶ）  １３を吹き付けてコンクリート柱１１の表面１２を研掃するブラスト装置１４を吊り下げる機構である。ブラスト装置の吊り下げ機構１０は、コンクリート柱１１のブラスト作業面１２ａの上部位置にあって、実質的に同一高さ位置に取付けられた複数（本実施の形態では４個）のアンカー部材１５と、アンカー部材１５に横移動可能に固定されコンクリート柱１１を囲む水平ワイヤ１６と、水平ワイヤ１６をコンクリート柱１１の周囲に緊張状態で取付けるワイヤ緊張手段１７と、水平ワイヤ１６に掛止し、コンクリート柱１１の周囲を移動可能な横移動台車１８と、横移動台車１８にその上端が固定されて、ブラスト装置１４を吊り下げる垂直ワイヤ１９とを有している。以下、これらについて詳しく説明する。
【００１２】
図１及び図２に示すように、棒状のアンカー部材１５は、コンクリート柱１１のブラスト作業面１２ａの上部の外周に水平方向に間隔をあけて配置され、水平ワイヤ１６が落下するのを防止するために、先端部には図示しない落下防止片が設けられている。アンカー部材１５は実質的に水平方向に配置され、しかも、半径方向に突出して設けられている。アンカー部材１５の地上からの高さＨは、一例として、約５０ｍとする。
【００１３】
水平ワイヤ１６は４個のアンカー部材１５上にコンクリート柱１１の上部の周囲を囲んで実質的に水平に載置されており、しかも、水平ワイヤ１６には、水平ワイヤ１６の長さや張力を調整するためのワイヤ緊張手段１７が接続されている。即ち、ワイヤ緊張手段１７は、図１〜図３に示すように、水平ワイヤ１６の一端２０が固着されていると共に、コンクリート柱１１に水平状態で巻き付けられた水平ワイヤ１６の中間部をロック可能に保持する把持部２１を有している。しかも、水平ワイヤ１６の他端部には、水平ワイヤ１６の他端が抜けるのを防止するためのストッパー２２が設けられており、ストッパー２２はねじ機構により着脱可能になっている。
【００１４】
図３及び図４に示すように、ワイヤ緊張手段１７の把持部２１は、水平ワイヤ１６の出入りをガイドすると共に、手動操作レバー２４（図１参照）により減速機（図示せず）を介して回転するドライブローラ２５と、水平ワイヤ１６の張力Ｔによって水平ワイヤ１６をドライブローラ２５に押し付けてロックする押し付け部２５ａとを有している。
【００１５】
図３及び図４を参照して、ワイヤ緊張手段１７により水平ワイヤ１６の長さや張力Ｔを調整するメカニズムについて説明する。
水平ワイヤ１６に吊り下げられた横移動台車１８、垂直ワイヤ１９及びブラスト装置１４等の自重による張力Ｔが水平ワイヤ１６にａ方向（略水平方向）に作用すると、ドライブローラ２５の左側にオフセットして配置されたガイドシーブ２６がｂ方向に移動する。ガイドシーブ２６がｂ方向に移動すると、ガイドシーブ２６に基端部が連結されたシーブプレート２７及びシーブプレート２７の先端部に連結されたローラチェーンキット２８もドライブローラ２５に対して反時計回りに移動する。
【００１６】
ローラチェーンキット２８の移動により、ローラチェーンキット２８に所定のピッチで設けられた押えローラ２９はドライブローラ２５の中心Ｏに向かうｃ方向に移動し、水平ワイヤ１６をＶ溝部３０に押し込むことになる。
水平ワイヤ１６がＶ溝部３０に押し込まれると、楔作用により更にｄ方向の力が作用し、水平ワイヤ１６とドライブローラ２５との間に大きな摩擦力が発生することになる。
【００１７】
この摩擦力は水平ワイヤ１６の張力Ｔに比例するため、水平ワイヤ１６は張力Ｔに応じた保持力で確実にドライブローラ２５にロックされ、この状態で手動操作レバー２４によりドライブローラ２５を反時計回りに回転すると、ガイドシーブ２６側の水平ワイヤ１６をドライブローラ２５に取り込むことになり、コンクリート柱１１の上部の周囲を囲む水平ワイヤ１６の長さを短くすることになる。
【００１８】
一方、手動操作レバー２４によりドライブローラ２５を時計回りに回転すると、ストッパー２２側の水平ワイヤ１６をドライブローラ２５に取り込むことになり、コンクリート柱１１の上部の周囲を囲む水平ワイヤ１６の長さを長くすることになる。かかる構成により、ワイヤ緊張手段１７の手動操作レバー２４を操作することにより水平ワイヤ１６の長さを調整することができるので、コンクリート柱１１の直径に応じて水平ワイヤ１６をコンクリート柱１１に巻き付けることができる。
【００１９】
図５及び図６に示すように、横移動台車１８は正面視して略矩形枠状に形成された鋼板製の台車フレーム３１と、台車フレーム３１の上下、左右の４隅に設けられ、かつ、軸受（図示せず）を介してコンクリート柱１１の表面１２を転動する４個の水平ガイドローラ３２〜３５と、台車フレーム３１の外側に設けられ、接続金具（図示せず）を介して垂直ワイヤ１９の上端を固定する固定用孔３６が先端部に形成されたワイヤ固定部材３７と、水平ワイヤ１６が掛止する掛止部３８が形成され、走行（左右）方向に間隔をあけて台車フレーム３１の上部の水平ガイドローラ３２、３３近傍にそれぞれ設けられた板状のワイヤ掛止金具３９、４０とを備えている。
【００２０】
かかる構成によって、水平ワイヤ１６をアンカー部材１５上に載置した後、横移動台車１８のワイヤ掛止金具３９、４０を水平ワイヤ１６に掛止して、横移動台車１８の水平ガイドローラ３２〜３５がコンクリート柱１１の表面１２に接するように、水平ワイヤ１６の長さや張力Ｔをワイヤ緊張手段１７によって調整することができる。さらに、台車フレーム３１の上部の走行方向中間位置には、ねじ機構からなる位置決め手段４１が設けられており、ワイヤ掛止金具３９、４０の掛止部３８に掛止された水平ワイヤ１６を位置決め手段４１により台車フレーム３１に固定して、横移動台車１８を水平ワイヤ１６に位置決めするようになっている。
【００２１】
図１及び図５に示すように、横移動台車１８のワイヤ固定部材３７の先端部には地表まで届く長さの垂直ワイヤ１９が固定されており、垂直ワイヤ１９の中間部には、垂直ワイヤ１９に沿って昇降可能なブラスト装置１４が吊り下げられている。
図１、図７及び図８に示すように、ブラスト手段４２を下部に取付けたブラスト装置１４は上部に、垂直ワイヤ１９の中間部を把持状態でブラスト装置１４を昇降させる電動型昇降手段２３を有している。電動型昇降手段２３の詳細を示していないが、ワイヤ緊張手段１７の把持部２１と同じ機構、即ち、ドライブローラと、垂直ワイヤ１９の張力Ｓによって垂直ワイヤ１９をドライブローラに押し付けてロックする押し付け機構とを有している。即ち、垂直ワイヤ１９はエンドレスタイプとなっている。
【００２２】
図７及び図８に示すように、電動型昇降手段２３のドライブローラは、サーボモータ４３により減速機４４を介して回転駆動される。また、垂直ワイヤ１９の下端部にはブラスト装置１４の落下防止用のストッパー２２ａ（図１参照）が設けられており、ストッパー２２ａは水平ワイヤ１６のストッパー２２と同様、ねじ機構により着脱可能になっている。
【００２３】
かかる構成により、電動型昇降手段２３のサーボモータ４３を正回転駆動することによって、ブラスト装置１４は垂直ワイヤ１９に沿って上昇し、一方、サーボモータ４３を逆回転駆動することによって、ブラスト装置１４は垂直ワイヤ１９に沿って下降することにより、ブラスト手段４２がコンクリート柱１１の表面１２に沿って昇降することができる。なお、ブラスト手段４２の昇降速度は、ブラスト条件（コンクリート柱１１のブラスト作業面１２ａの状況、吹き付ける鋼球１３のサイズ、吹き付け量、吹き付け速度、吹き付け時間等）を考慮して、約０．６〜６ｍ／ｍｉｎとしている。
【００２４】
図７及び図８を参照しながら、昇降フレーム４５を介してブラスト装置１４に設けられたブラスト手段４２について説明する。
昇降フレーム４５は、鋼板や鋼管等を組み合わせて形成されており、内側に吸引部５０が設けられている。ブラスト手段４２は球径が１．４ｍｍの鋼球１３を遠心力により吹き飛ばす回転羽根４６と、回転羽根４６により吹き飛ばされた鋼球１３を所定の上向き傾斜角度α（＝２５〜３５°）でガイドする鋼球ガイド４７と、鋼球ガイド４７の先部とラップして配置され、コンクリート柱１１の表面１２に衝突する鋼１３の外部への飛散及び落下を防止する下側飛散防止カバー４８とを有している。
【００２５】
ブラスト手段４２は、さらに、コンクリート柱１１の表面１２で反射した鋼球１３の上側への飛散を防止すると共に、吸引部５０の一部を構成する上側飛散防止カバー５１と、コンクリート柱１１の表面１２で反射した鋼球１３を回収し、この鋼球１３を回転羽根４６に供給する回収ボックス５２とを備えている。回転羽根４６は所定の間隔をあけて対向して配置された円板状の一対のディスクの間に、円周方向に等ピッチで複数のブレード４９を放射状に配置した構成となっている。回収ボックス５２内の鋼球１３は、ゲート、ディストリビュータ、コントローラを介して、下部に配置されたモータ５３により駆動される回転羽根４６に供給されて、コンクリート柱１１の表面１２に遠心投射されるように構成されている。
【００２６】
図７及び図８に示すように、ブラスト手段４２には、コンクリート柱１１の表面１２の研掃面５４を覆うリング状に形成された吸着パッド５５が昇降フレーム４５を介して設けられており、ブラスト手段４２は研掃面５４に吸着パッド５５を吸着させた状態で、コンクリート柱１１の表面１２の研掃を行うことができるように構成されている。なお、吸着パッド５５の外径Ｄは５５０ｍｍ程度、材質はシリコン製としている。
【００２７】
吸着パッド５５の中央部を除く両側にはそれぞれ、付勢部材（コイルスプリング）を備えた複数の押し付け機構（例えば、スプリング付きボルト）が、昇降フレーム４５にフランジを介して取付けられている。この押し付け機構により、コンクリート柱１１の表面１２が垂直方向に直線で水平方向に湾曲する曲面であっても、吸着パッド５５の周囲をコンクリート柱１１の表面１２に密着させることができるようになっている。なお、図７及び図８に示すように、吸着パッド５５をコンクリート柱１１の表面１２に対して適切な位置に配置すると共に、吸着パッド５５に無理な力をかけて損傷させないように、吸着パッド５５の外側近傍の上下にはそれぞれ、水平方向に間隔をあけて２個の位置決め部材５６が設けられている。
【００２８】
図７及び図８に示すように、コンクリート柱１１の表面１２を研掃する際発生する研掃屑である粉塵は、昇降フレーム４５の上部で、しかも、コンクリート柱１１の表面１２側に開口した吸引部５０の後部に設けられた集塵配管の一部を構成する集塵パイプ５７に取り込まれるようになっている。なお、吸引部５０の幅Ｗ、即ち、研掃面５４の幅（鋼球１３の投射幅）は３００ｍｍ程度としている。
【００２９】
図１及び図７に示すように、ブラスト手段４２の集塵パイプ５７には、地上に固定配置された集塵装置（図示せず）に接続された集塵配管の一部を構成する集塵ホース５８が連通されている。集塵装置にはブロア及び除塵手段が設けられており、集塵装置は集塵ホース５８、集塵パイプ５７を介して吸引部５０のエアを粉塵と共に吸引し、粉塵を分離することができる。集塵装置のブロアによって吸引部５０のエア及び粉塵が吸引されて吸引部５０が負圧になるため、吸着パッド５５を研掃面５４に吸着させることができる。なお、図７、図８中の符号５９は制御盤を、符号６０は吸引部５０に設けられ、粉塵を含むエアの流路を変えるための衝突板を、符号６１は電源ボックスを、符号６２は回転羽根４６の下方に貯まる鋼球１３をエジェクタを介して回収ボックス５２に回収するための鋼球回収用配管を表している。また、図１中の符号６３は地上から鋼球回収用配管６２に高圧のエアを供給するためのエアホースを、符号６４は地上からブラスト装置１４に電力を供給するための電線を表している。
【００３０】
次いで、本発明の一実施の形態に係るブラスト装置の吊り下げ方法を適用したブラスト作業について、主として図１及び図２を参照しながら説明する。
（１）準備作業
（１−１）アンカー部材１５、ワイヤ緊張手段１７を取付けた水平ワイヤ１６、横移動台車１８、垂直ワイヤ１９、ブラスト装置１４及び集塵装置等、ブラスト作業に必要な機器をトラックにより研掃の対象となるコンクリート柱１１のある場所に搬送する。なお、ブラスト手段４２には既に、鋼球１３がセットされているものとする。
【００３１】
（１−２）コンクリート柱１１のブラスト作業面１２ａの上部位置に高さを揃えて４本のアンカー部材１５を取付ける。
（１−３）４本のアンカー部材１５上に、水平ワイヤ１６を配設し、しかも、水平ワイヤ１６の一端２０が固着されていると共に、コンクリート柱１１に水平状態で巻き付けられた水平ワイヤ１６の中間部をロック可能に保持する把持部２１を有するワイヤ緊張手段１７を設ける。
（１−４）水平ワイヤ１６にコンクリート柱１１の周囲を移動可能な横移動台車１８を取付ける。この際、水平ワイヤ１６に横移動台車１８のワイヤ掛止金具３９、４０を掛止すると共に、横移動台車１８の水平ガイドローラ３２〜３５がコンクリート柱１１の表面１２に接するように、ワイヤ緊張手段１７によって水平ワイヤ１６の長さや張力を調整する。なお、横移動台車１８は作業開始位置に設定する。
【００３２】
（１−５）ブラスト装置１４を吊り下げるための垂直ワイヤ１９の上端を、接続金具を介して横移動台車１８のワイヤ固定部材３７に固定する。
（１−６）垂直ワイヤ１９の下端部に、電動型昇降手段２３の把持部によりブラスト装置１４を保持する。
（１−７）垂直ワイヤ１９に張力Ｓをかけながら電動型昇降手段２３のサーボモータ４３を駆動して、地面に載置されたブラスト装置１４を垂直ワイヤ１９に沿って上側に移動させ、地面から所定の高さ位置まで吊り上げる。
（１−８）ブラスト手段４２の集塵パイプ５７に集塵ホース５８を接続する。
【００３３】
（２）ブラスト作業
（２−１）集塵装置、ブラスト装置１４の電動型昇降手段２３及びブラスト手段４２を運転して、ブラスト装置１４をゆっくり上昇させながら、ブラスト手段４２の回転羽根４６によりコンクリート柱１１の表面１２に鋼球１３をショットブラストする。
（２−２）鋼球１３によりショットブラストされたコンクリート柱１１の表面１２から粉塵が発生し、吸引部５０内の粉塵は、集塵パイプ５７及び集塵ホース５８を介して集塵装置に吸引されてエアと分離される。
（２−３）一方、コンクリート柱１１の表面１２から反射した鋼球１３は、回収ボックス５２に回収され、再度回転羽根４６によりコンクリート柱１１の表面１２に吹き付けられる。
【００３４】
（２−４）前記（２−１）〜（２−３）を繰り返して行い、コンクリート柱１１のブラスト作業面１２ａの下部から上部まで所定の高さ分ショットブラストを行う。これにより、幅が約３００ｍｍ程度の研掃された面をコンクリート柱１１の垂直面に形成することができる。
（２−５）集塵装置、ブラスト装置１４の電動型昇降手段２３及びブラスト手段４２を停止する。
（２−６）横移動台車１８を人手により、水平ワイヤ１６に沿って約３００ｍｍ時計回りに移動して横移動台車１８を水平ワイヤ１６に固定する。この際、ワイヤ緊張手段１７により水平ワイヤ１６の張力や長さを調整する。
（２−７）集塵装置、ブラスト装置１４の電動型昇降手段２３及びブラスト手段４２を再び運転して、ブラスト装置１４をゆっくり下降させながら、ブラスト手段４２の回転羽根４６によりコンクリート柱１１の表面１２に鋼球１３をショットブラストする。
【００３５】
（２−８）前記（２−２）及び（２−３）を繰り返して行い、コンクリート柱１１のブラスト作業面１２ａの上部から下部まで所定の高さ分ショットブラストする。これにより、幅が約６００ｍｍ程度のブラスト作業が終了した面をコンクリート柱１１の垂直面に形成することができる。
（２−９）前記（２−１）〜（２−８）を所定の回数繰り返して行い、コンクリート柱１１の全周をショットブラストする。
（３）撤去作業
撤去作業は基本的には準備作業と逆の順序で行う。従って、説明は割愛する。
【００３６】
本発明は前記した実施の形態に限定されるものではなく、本発明の要旨を変更しない範囲での変更は可能であり、例えば、前記したそれぞれの実施の形態や変形例の一部又は全部を組み合わせて本発明のブラスト装置の吊り下げ方法及び吊り下げ機構を構成する場合も本発明の権利範囲に含まれる。
ブラスト装置の吊り下げ機構１０においては、ワイヤ緊張手段１７は、水平ワイヤ１６の一端が固着されていると共に、コンクリート柱１１に水平状態で巻き付けられた水平ワイヤ１６の中間部をロック可能に保持する把持部２１を有する構成としたが、これに限定されず、必要に応じて、その他の構成のワイヤ緊張手段を用いて水平ワイヤを配設することもできる。
【００３７】
垂直ワイヤ１９の中間部を把持状態でブラスト装置１４を昇降させる電動型昇降手段２３を設けたが、これに限定されず、状況に応じて、横移動台車１８にホイストを設け、昇降手段の無いブラスト装置をホイストに吊り下げることもできる。
構築物をコンクリート柱１１として説明したが、これに限定されず、必要に応じて、その他の構造物、例えば、塗装をするためにショットブラストする鋼製の柱としてもよい。従って、ブラスト材を鋼球１３としたが、これに限定されず、必要に応じて、その他の硬球、例えば、プラスチック、セラミック等を使用してもよい。
コンクリート柱の断面形状を円形としたが、これに限定されず、必要に応じて、垂直方向に直線で水平方向に湾曲する曲面であれば、断面形状が円形でなくてもよい。
【００３８】
【発明の効果】
請求項１、２記載のブラスト装置の吊り下げ方法においては、アンカー部材上に、一端が固着されていると共に中間部をロック可能に保持する把持部を有するワイヤ緊張手段が設けられた水平ワイヤを構造物に水平状態で巻き付けて配置し、水平ワイヤに構造物の周囲を移動可能な横移動台車を取付け、さらに、横移動台車に固定した垂直ワイヤにブラスト装置を吊り下げることができるので、構築物の周囲の長さが変わったとしても、一本の水平ワイヤで対応することができ、この結果、従来のガイドレールの場合に比較して、短期間で安価に、しかも、安全に取付け作業を行うことが可能である。さらに、取付け作業が簡略化されると共に、ハンドリング性が向上し、しかも、ワイヤ緊張手段がコンパクトにできる。
【００３９】
特に、請求項２記載のブラスト装置の吊り下げ方法においては、ブラスト装置自体が、垂直ワイヤに沿って昇降することができ、しかも、昇降ストロークが長くても、従来のように複数回に分けてブラストする必要が無く、１回でブラストすることができるので、昇降手段が簡略化されてコンパクトになり、かつ、ブラスト作業性が向上する。
請求項３、４記載のブラスト装置の吊り下げ機構においては、複数のアンカー部材上に、ワイヤ緊張手段により構造物の周囲に緊張状態で取付けた水平ワイヤに横移動台車を掛止し、横移動台車に垂直ワイヤを介してブラスト装置を吊り下げることにより、構築物の周囲の長さが変わったとしても、横移動台車を構造物の周囲に移動することができる。従って、従来のガイドレールの場合に比較して、短期間に安価に、しかも、安全に取付け作業を行うことが可能である。
特に、請求項４記載のブラスト装置の吊り下げ機構においては、構築物の周囲の長さが変わったとしても、一本の水平ワイヤで対応することができるので、取付け作業が簡略化されると共に、ハンドリング性が向上し、しかも、ワイヤ緊張手段がコンパクトにできる。
【図面の簡単な説明】
【図１】本発明の一実施の形態に係るブラスト装置の吊り下げ機構を模式的に示す正面図である。
【図２】同ブラスト装置の吊り下げ機構を模式的に示す平面図である。
【図３】同ブラスト装置の吊り下げ機構のワイヤ緊張手段の構成図である。
【図４】図３の矢視Ａ−Ａ断面図である。
【図５】本発明の一実施の形態に係るブラスト装置の吊り下げ機構の横移動台車の側面図である。
【図６】同正面図である。
【図７】ブラスト装置の部分側断面図である。
【図８】同正面図である。
【符号の説明】
１０：ブラスト装置の吊り下げ機構、１１：コンクリート柱（構築物）、１２：表面、１２ａ：ブラスト作業面、１３：鋼球（ブラスト材）、１４：ブラスト装置、１５：アンカー部材、１６：水平ワイヤ、１７：ワイヤ緊張手段、１８：横移動台車、１９：垂直ワイヤ、２０：一端、２１：把持部、２２、２２ａ：ストッパー、２３：電動型昇降手段、２４：手動操作レバー、２５：ドライブローラ、２５ａ：押し付け部、２６：ガイドシーブ、２７：シーブプレート、２８：ローラチェーンキット、２９：押えローラ、３０：Ｖ溝部、３１：台車フレーム、３２〜３５：水平ガイドローラ、３６：固定用孔、３７：ワイヤ固定部材、３８：掛止部、３９、４０：ワイヤ掛止金具、４１：位置決め手段、４２：ブラスト手段、４３：サーボモータ、４４：減速機、４５：昇降フレーム、４６：回転羽根、４７：鋼球ガイド、４８：下側飛散防止カバー、４９：ブレード、５０：吸引部、５１：上側飛散防止カバー、５２：回収ボックス、５３：モータ、５４：研掃面、５５：吸着パッド、５６：位置決め部材、５７：集塵パイプ（集塵配管）、５８：集塵ホース（集塵配管）、５９：制御盤、６０：衝突板、６１：電源ボックス、６２：鋼球回収用配管、６３：エアホース、６４：電線
【図１】
2005002618.tif 000003
【図２】
2005002618.tif 000004
【図３】
2005002618.tif 000005
【図４】
2005002618.tif 000006
【図５】
2005002618.tif 000007
【図６】
2005002618.tif 000008
【図７】
2005002618.tif 000009
【図８】
2005002618.tif 000010